(57)【要約】【課題】コーナー部専用の付帯設備を好適にコーナー部に設置することを可能にするユニットバスを提供する。【解決手段】壁パネル８、９同士を接続したコーナー部１０に設置されるコーナー部専用の付帯設備１５を備えたユニットバスにおいて、コーナー部１０に取り付けて付帯設備１５を支持する受け具１７、１８、１９を備える。受け具１７、１８、１９は、壁パネル８、９同士に架け渡すように配設される支持部２１と、支持部２１の一側端部２１ａと他側端部２１ｂに一体に設けられた一対の矯正位置決め部２２、２３とを備える。矯正位置決め部２２、２３は、壁パネル８、９の壁面に面接触する接触面２４を有し、一方の矯正位置決め部２２の接触面２４を含む平面状の仮想面と、他方の矯正位置決め部２３の接触面２４を含む平面状の仮想面とが直角に交差するように形成する。【選択図】図４
2012241357.tif 000002
【特許請求の範囲】
【請求項１】
壁パネル同士を接続したコーナー部に設置されるコーナー部専用の付帯設備を備えたユニットバスにおいて、
前記コーナー部に取り付けて前記付帯設備を支持する受け具を備え、
前記受け具は、前記壁パネル同士に架け渡すように配設される支持部と、前記支持部の一側端部と他側端部に一体に設けられた一対の矯正位置決め部とを備えており、
前記矯正位置決め部は、前記壁パネルの壁面に面接触する接触面を有し、一方の矯正位置決め部の接触面を含む平面状の仮想面と、他方の矯正位置決め部の接触面を含む平面状の仮想面とが直角に交差するように形成されていることを特徴とするユニットバス。
【発明の詳細な説明】
【技術分野】
【０００１】
本発明は、ユニットバスに関する。
【背景技術】
【０００２】
一般的に、ユニットバスは、浴室の床部を構成する防水パンと、防水パンの四周の縁部に接続して浴室の周壁を形成する壁パネルと、壁パネルの上端に接続して浴室の天井部を構成する天井パネルと、防水パン上に設置した浴槽とを備えて構成されている。また、浴槽に隣接して洗い場を設け、この洗い場を形成する正面壁パネルに、カウンター、収納棚、鏡、シャワー等の付帯設備を取り付けて構成されている（例えば、特許文献１参照）。
【０００３】
一方、比較的面積が狭い小サイズのユニットバスでは、洗い場の正面壁パネルに付帯設備を取り付けると、必然的に身体が正面壁パネルの壁面に向かう状態になるため、肘などが浴槽のエプロンや側面壁パネルの壁面にぶつかったりする場合があった。これに対し、正面壁パネルと側面壁パネルの接続部分であるコーナー部に、カウンター、収納棚、鏡、シャワー等のコーナー部専用付帯設備を取り付けて構成したユニットバスがある。このユニットバスでは、人、身体の向きや動きを正面壁パネルや側面壁パネルの壁面と斜向させることができ、肘などが浴槽のエプロンや壁面にぶつかりにくくなる。
【先行技術文献】
【特許文献】
【０００４】
【特許文献１】特開平８−４９４３１号公報
【発明の概要】
【発明が解決しようとする課題】
【０００５】
ここで、上記のようなユニットバスは、壁パネルの反りや撓み、壁パネルの組立て誤差等によって、壁パネル同士を接続したコーナー部の角度が９０°（直角）にならない場合がある。
【０００６】
そして、コーナー部の角度が９０°未満であることで、カウンター、収納棚等の付帯設備の形状にコーナー部の形状が合わなくなって取り付けが困難になったり、取り付けた付帯設備にストレスがかかって破損が生じやすくなり、製品としての寿命が短くなる場合があった。
【０００７】
また、コーナー部の角度が９０°より大きいことで、コーナー部に取り付けた付帯設備と壁パネルの間に隙間が生じ、この隙間部分にユニットバスの使用による汚れが溜まりやすく、且つ溜まった汚れを除去しにくく、汚くなってしまう。さらに、隙間が生じることによって見栄えが悪くなってしまう。
【課題を解決するための手段】
【０００８】
上記の課題を解決するために、この発明は以下の手段を提供している。
【０００９】
請求項１記載のユニットバスは、壁パネル同士を接続したコーナー部に設置されるコーナー部専用の付帯設備を備えたユニットバスにおいて、前記コーナー部に取り付けて前記付帯設備を支持する受け具を備え、前記受け具は、前記壁パネル同士に架け渡すように配設される支持部と、前記支持部の一側端部と他側端部に一体に設けられた一対の矯正位置決め部とを備えており、前記矯正位置決め部は、前記壁パネルの壁面に面接触する接触面を有し、一方の矯正位置決め部の接触面を含む平面状の仮想面と、他方の矯正位置決め部の接触面を含む平面状の仮想面とが直角に交差するように形成されていることを特徴とする。
【発明の効果】
【００１０】
請求項１記載のユニットバスにおいては、受け具が、一方の矯正位置決め部の接触面を含む平面状の仮想面と、他方の矯正位置決め部の接触面を含む平面状の仮想面とが直角に交差するように形成されている。このため、一方の壁パネルの壁面に一方の矯正位置決め部の接触面が面接触するように、他方の壁パネルの壁面に他方の矯正位置決め部の接触面が面接触するように、壁パネル同士を接続したコーナー部に受け具を取り付けることによって、コーナー部の角度を直角にすることができる。これにより、壁パネルに反りや撓みが生じたり、壁パネルの組立て誤差等によって、コーナー部の角度が直角になっていない場合であっても、受け具を取り付けるとともにコーナー部の角度を直角に矯正位置決めすることが可能になる。
【００１１】
そして、このようにコーナー部の角度を直角に矯正位置決めした受け具にコーナー部専用の付帯設備を設置することにより、従来のように、カウンター等の付帯設備の形状にコーナー部の形状が合わなくなって取り付けが困難になったり、取り付けた付帯設備にストレスがかかって短寿命化することを防止できる。また、取り付けた付帯設備と壁パネルの間に隙間が生じることがなく、隙間部分に汚れが溜まって汚くなったり、隙間によって見栄えが悪くなることも防止できる。
【００１２】
ここで、本発明におけて、コーナー部の角度の「直角」は、受け具でコーナー部の角度を矯正位置決めすることによって上記の作用効果を得ることが可能な範囲の誤差を含むものであり、設計時のように厳格に直角（９０度）であることに加え、実用上許容される範囲の誤差を含む「略直角」をも意味するものである。
【図面の簡単な説明】
【００１３】
【図１】本発明の一実施形態に係るユニットバスを示す斜視図である。
【図２】図１のＸ１−Ｘ１線矢視図であり、本発明の一実施形態に係るユニットバスのコーナー部に設置した付帯設備を示す図である。
【図３】本発明の一実施形態に係るユニットバスが具備する受け具を示す斜視図である。
【図４】本発明の一実施形態に係るユニットバスが具備する受け具を示す斜視図である。
【図５】本発明の一実施形態に係るユニットバスが具備する受け具を示す斜視図である。
【図６】本発明の一実施形態に係るユニットバスが具備する受け具を示す断面図である。
【図７】本発明の一実施形態に係るユニットバスのコーナー部専用付帯設備の設置方法において、一方の壁パネルと他方の壁パネルにケガキ線を描いた状態を示す図である。
【図８】本発明の一実施形態に係るユニットバスのコーナー部専用付帯設備の設置方法において、一方のネジ止め位置に下孔を開けた状態を示す図である。
【図９】本発明の一実施形態に係るユニットバスのコーナー部専用付帯設備の設置方法において、一方の矯正位置決め部を仮固定して受け具をコーナー部に仮設置した状態を示す図である。
【図１０】本発明の一実施形態に係るユニットバスのコーナー部専用付帯設備の設置方法において、受け具をコーナー部に仮設置した状態で他方の矯正位置決め部のネジ挿通孔の位置をマーキングし、受け具を取り外した状態を示す図である。
【図１１】本発明の一実施形態に係るユニットバスのコーナー部専用付帯設備の設置方法において、他方のネジ止め位置を特定している状態を示す図である。
【図１２】本発明の一実施形態に係るユニットバスのコーナー部専用付帯設備の設置方法において、受け具をコーナー部に設置した状態を示す図である。
【発明を実施するための形態】
【００１４】
以下、図１から図１２を参照し、本発明の一実施形態に係るユニットバスについて説明する。
【００１５】
本実施形態のユニットバスＡは、図１に示すように、浴室の底部を構成する防水パン１と、浴室の周壁を形成する壁パネル２と、浴室の天井部を構成する天井パネル３と、防水パン１上に設置した浴槽４とを備えて構成されている。また、天井パネル３に換気扇５が取り付けられ、壁パネル２の所定位置にドア６、窓７が取り付けられている。
【００１６】
さらに、本実施形態のユニットバスＡにおいては、図１及び図２に示すように、洗い場を形成する正面壁パネル８（２）と側面壁パネル９（２）など、壁パネル８、９同士を接続してなるコーナー部１０にカウンター１１、シャワー水栓１２、ミラー１３等の付帯設備１５が設けられ、コーナー部１０にこれら付帯設備１５を取り付けるための付帯設備取り付け構造１６が具備されている。
【００１７】
そして、付帯設備取り付け構造１６は、図３及び図４に示すように、壁パネル８、９同士を接続したコーナー部１０に取り付けるとともにコーナー部１０の角度を９０°に矯正し、この状態を保持しつつ付帯設備１６を取り付けてこれを支持する受け具１７、１８、１９を備えている。また、本実施形態では、カウンター取付用受け具１７と、水栓取付用受け具１８と、ミラー取付用受け具１９が受け具としてそれぞれ個別に具備されている。なお、本発明に係る受け具は、カウンター取付用受け具１７、水栓取付用受け具１８、ミラー取付用受け具１９に限定する必要はなく、例えば図５に示すシャワータワーの付帯設備１６を取り付けて支持するためのシャワータワー用受け具２０であってもよい。また、一つの受け具に、カウンター、水栓、ミラー等の複数種の付帯設備１６を取り付けるようにしてもよい。
【００１８】
そして、図３から図５に示すように、各受け具１７〜２０は、壁パネル８、９同士に架け渡すように配設されて各壁パネル８、９を支持する支持部２１と、支持部２１の延在方向（壁パネル８、９同士に架け渡す方向）の両側端部２１ａ、２１ｂにそれぞれ一体に設けられ、各壁パネル８、９に当接しコーナー部１０の角度を９０°に矯正して位置決めする矯正位置決め部２２、２３とを備えて形成されている。
【００１９】
また、図６（及び図３から図５）に示すように、各受け具１７〜２０は、支持部２１の一側端部２１ａに設けられた一方の矯正位置決め部２２と、支持部２１の他側端部２１ｂに設けられた他方の矯正位置決め部２３とにそれぞれ、壁パネル８、９の壁面に当接して面接触する接触面２４が設けられている。さらに、一方の矯正位置決め部２２の接触面２４を含む平面の仮想面Ｓ１と、他方の矯正位置決め部２３の接触面２４を含む平面の仮想面Ｓ２とが直角に交差するように、各受け具１７〜２０の一方の矯正位置決め部２２と他方の矯正位置決め部２３の接触面２４が形成されている。
【００２０】
また、本実施形態の各受け具１７〜２０は、支持部２１が直角三角形の斜辺（前記直角の対辺）に沿うように、一方の矯正位置決め部２２の接触面２４が直角三角形の一方の隣辺に沿うように、他方の矯正位置決め部２３の接触面２４が他方の隣辺に沿うように形成されている。さらに、図３から図５に示すように、各矯正位置決め部２２、２３には、内面から接触面２４に貫通するネジ挿通孔２５が形成されている。
【００２１】
そして、図３から図５に示すように、本実施形態では、ネジ挿通孔２５に挿通したネジ２６で各壁パネル８、９に各矯正位置決め部２２、２３をネジ止めするとともに、一方の矯正位置決め部２２の接触面２４を一方の壁パネル８の壁面に面接触させ、他方の矯正位置決め部２３の接触面２４を他方の壁パネル９の壁面に面接触させて受け具１７〜２０がコーナー部１０に取り付けられる。このとき、予め各壁パネル８、９の所定位置に下孔やマークを設けておき、この下孔やマークに各矯正位置決め部２２、２３のネジ挿通孔２５を位置合わせしてネジ止めする。
【００２２】
ここで、より具体的に、図５に示したシャワータワー用受け具２０を受け具の一例とし、この受け具２０を正面壁パネル８と側面壁パネル９を接続したコーナー部１０に取り付ける方法（本実施形態のコーナー部専用付帯設備の設置方法）について説明する。
【００２３】
受け具２０をコーナー部１０に取り付ける際には、はじめに、図５及び図７に示すように、正面壁パネルである一方の壁パネル８の壁端から横方向の所定位置に、縦方向のケガキ線Ｒ１を描く。また、側面壁パネルである他方の壁パネル９の壁端から横方向の所定位置に、縦方向のケガキ線Ｒ２を描く。このとき、正面壁パネル８と側面壁パネル９にケガキ線Ｒ１、Ｒ２を描く際には、コーナー部１０の角度が直角である場合に受け具２０の一方の矯正位置決め部２２と他方の矯正位置決め部２３の各ネジ挿通孔２５が配される各壁パネル８、９の壁端からの距離を測り、この位置を通るように縦方向のケガキ線Ｒ１、Ｒ２をそれぞれ各壁パネル８、９に描くようにする。
【００２４】
そして、図５及び図８に示すように、一方の壁パネル８に描いたケガキ線Ｒ１上に、受け具２０の一方の矯正位置決め部２２のネジ挿通孔２５の位置をマーキングし、このマーキングした一方のネジ止め位置Ｍ１に下孔を開ける。このとき、シャワータワー用受け具２０においては、矯正位置決め部２２、２３に複数のネジ挿通孔２５が設けられている。このような場合には、少なくとも一部の一方のネジ止め位置Ｍ１に下孔を開ければよい。
【００２５】
次に、図５及び図９に示すように、一方の矯正位置決め部２２のネジ挿通孔２５の位置を一方のネジ止め位置Ｍ１に合わせて受け具２０をコーナー部１０に設置するとともに、ネジ２６をネジ挿通孔２５に挿通し一方の矯正位置決め部２２をネジ止めして仮固定し、受け具２０を仮設置する。
【００２６】
図５及び図１０、図１１に示すように、受け具２０を仮固定した状態で、他方の矯正位置決め部２３のネジ挿通孔２５の位置を他方の壁パネル９上にマーキングし、仮固定した受け具２０を取り外す。また、他方の壁パネル９上のマーキング位置Ｍ２を通る横方向のケガキ線Ｒ３を描き、縦方向のケガキ線Ｒ２との交点を出すことにより、マーキング位置Ｍ２と同じ水平レベルの他方のネジ止め位置Ｍ３を縦方向のケガキ線Ｒ２上に特定する。
【００２７】
次に、図５及び図１２に示すように、一方の壁パネル８と他方の壁パネル９の縦方向のケガキ線Ｒ１、Ｒ２上の全てのネジ止め位置Ｍ１、Ｍ３に下孔を開け、一方の矯正位置決め部２２のネジ挿通孔２５の位置を一方の壁パネル８の一方のネジ止め位置Ｍ１に合わせて受け具２０をコーナー部１０に配置する。これとともに、一方の矯正位置決め部２２と他方の矯正位置決め部２３の全てのネジ挿通孔２５にネジ２６を挿通し、対応した一方のネジ止め位置Ｍ１と他方のネジ止め位置Ｍ３の下孔にねじ込んでネジ止めして、受け具２０を固定して設置する。
【００２８】
そして、このように一方の矯正位置決め部２２と他方の構成位置決め部２３をそれぞれ、下孔にねじ込んでネジ止めすると、図５に示したように、一方の矯正位置決め部２２の接触面２４が一方の壁パネル８の壁面に面接触し、他方の矯正位置決め部２３の接触面２４が他方の壁パネル９の壁面に面接触して、受け具２０がコーナー部１０に取り付けられる。また、図６に示すように、一方の矯正位置決め部２２の接触面２４を含む平面の仮想面Ｓ１と、他方の矯正位置決め部２３の接触面２４を含む平面の仮想面Ｓ２とが直角に交差するように、各矯正位置決め部２２、２３の接触面２４が形成されている。
【００２９】
このため、各矯正位置決め部２２、２３の接触面２４が各壁パネル８、９の壁面に面接触するようにネジ止めされてゆくとともに、壁パネル８、９の壁面が凹状に反っている場合には壁面を引っ張り、壁パネル８、９の壁面が凸状に反っている場合には壁面を押圧する。そして、各矯正位置決め部２２、２３の接触面２４が各壁パネル８、９の壁面に面接触するとともに、壁パネル８、９同士を接続したコーナー部１０の角度が直角になる。
【００３０】
これにより、壁パネル８、９に反りや撓みが生じたり、壁パネル８、９（２）の組立て誤差等によって、壁パネル８、９同士を接続したコーナー部１０の角度が直角になっていない場合には、各矯正位置決め部２２、２３の接触面２４が各壁パネル８、９の壁面に面接触するように受け具２０を取り付けることで、コーナー部１０の角度が直角に矯正されることになる。
【００３１】
なお、上記と同様にして、カウンター取付用受け具１７や水栓取付用受け具１８やミラー取付用受け具１９をそれぞれ個別にコーナー部１０に取り付けると、受け具１７〜１９を取り付けた部分のコーナー部１０の角度が直角に矯正されることになる。そして、図４に示すように、コーナー部１０に取り付けた受け具１７〜１９に、カウンター１１、水栓１２、ミラー１３等の付帯設備１５を取り付けて支持させる。
【００３２】
このとき、受け具１７〜２０を取り付けた部分のコーナー部１０の角度が直角に矯正されているため、従来のように、カウンター等の付帯設備１５の形状にコーナー部１０の形状が合わなくなって取り付けが困難になったり、取り付けた付帯設備１５にストレスがかかって短寿命化することがない。また、取り付けた付帯設備１５と壁パネル８、９の間に隙間が生じることもなく、隙間部分に汚れが溜まって汚くなったり、隙間によって見栄えが悪くなることもなくなる。
【００３３】
したがって、本実施形態のユニットバスＡにおいては、受け具１７〜２０が、一方の矯正位置決め部２２の接触面２４を含む平面状の仮想面Ｓ１と、他方の矯正位置決め部２３の接触面２４を含む平面状の仮想面Ｓ２とが直角に交差するように形成されている。このため、一方の壁パネル８の壁面に一方の矯正位置決め部２２の接触面２４が面接触するように、他方の壁パネル９の壁面に他方の矯正位置決め部２３の接触面２４が面接触するように、壁パネル８、９同士を接続したコーナー部１０に受け具１７〜２０を取り付けることによって、コーナー部１０の角度を直角にすることができる。これにより、壁パネル８、９に反りや撓みが生じたり、壁パネル８、９（２）の組立て誤差等によって、コーナー部１０の角度が直角になっていない場合であっても、受け具１７〜２０を取り付けるとともにコーナー部１０の角度を直角に矯正位置決めすることが可能になる。
【００３４】
そして、このようにコーナー部１０の角度を直角に矯正位置決めした受け具１７〜２０にコーナー部専用の付帯設備１５を設置することにより、従来のように、カウンター等の付帯設備１５の形状にコーナー部１０の形状が合わなくなって取り付けが困難になったり、取り付けた付帯設備１５にストレスがかかって短寿命化することを防止できる。また、取り付けた付帯設備１５と壁パネル８、９の間に隙間が生じることがなく、隙間部分に汚れが溜まって汚くなったり、隙間によって見栄えが悪くなることも防止できる。
【００３５】
また、本実施形態のユニットバスのコーナー部専用付帯設備の設置方法においては、他方の矯正位置決め部２３のネジ挿通孔２５が配される位置を通る縦方向のケガキ線Ｒ２を他方の壁パネル９の壁面に描き、一方の壁パネル８の一方のネジ止め位置Ｍ１に一方の矯正位置決め部２２をネジ止めして仮固定し、この仮固定した状態で他方の矯正位置決め部２３のネジ挿通孔２５の位置Ｍ２をマーキングするとともに、仮固定した受け具１７〜２０を取り外し、マーキング位置Ｍ２と同じ水平レベルの他方のネジ止め位置Ｍ３を縦方向のケガキ線Ｒ２上に特定する。これにより、コーナー部１０の角度が直角である場合に他方の矯正位置決め部２３のネジ挿通孔２５が配される他方のネジ止め位置Ｍ３を特定することができる。
【００３６】
そして、一方の矯正位置決め部２２のネジ挿通孔２５を一方のネジ止め位置Ｍ１に、他方の矯正位置決め部２３のネジ挿通孔２５を他方のネジ止め位置Ｍ３に合わせてネジ止めし、一方の壁パネル８の壁面に一方の矯正位置決め部２２の接触面２４を面接触させ、他方の壁パネル９の壁面に他方の矯正位置決め部２３の接触面２４を面接触させて、コーナー部１０の角度を直角に矯正位置決めすることが可能になる。
【００３７】
よって、このようにコーナー部１０の角度を直角に矯正位置決めした受け具１７〜２０にコーナー部専用の付帯設備１５を設置することにより、従来のように、カウンター等の付帯設備１５の形状にコーナー部１０の形状が合わなくなって取り付けが困難になったり、取り付けた付帯設備１５にストレスがかかって短寿命化することを防止できる。また、取り付けた付帯設備１５と壁パネル８、９の間に隙間が生じることがなく、隙間部分に汚れが溜まって汚くなったり、隙間によって見栄えが悪くなることも防止できる。
【００３８】
以上、本発明に係るユニットバスの一実施形態について説明したが、本発明は上記の一実施形態に限定されるものではなく、その趣旨を逸脱しない範囲で適宜変更可能である。
【符号の説明】
【００３９】
１      防水パン
２      壁パネル
３      天井パネル
４      浴槽
５      換気扇
６      ドア
７      窓
８      一方の壁パネル（正面壁パネル）
９      他方の壁パネル（側面壁パネル）
１０    コーナー部
１１    カウンター
１２    シャワー水栓
１３    ミラー
１５    コーナー部専用付帯設備
１６    付帯設備取り付け構造
１７    カウンター取付用受け具（受け具）
１８    水栓取付用受け具（受け具）
１９    ミラー取付用受け具（受け具）
２０    シャワータワー取付用受け具（受け具）
２１    支持部
２１ａ  一側端部
２１ｂ  他側端部
２２    一方の矯正位置決め部
２３    他方の矯正位置決め部
２４    接触面
２５    ネジ挿通孔
２６    ネジ
Ａ      ユニットバス
Ｍ１    一方のネジ止め位置
Ｍ２    マーキング位置
Ｍ３    他方のネジ止め位置
Ｒ１    縦方向のケガキ線
Ｒ２    縦方向のケガキ線
Ｒ３    横方向のケガキ線
Ｓ１    仮想面
Ｓ２    仮想面
【図１】
2012241357.tif 000003
【図２】
2012241357.tif 000004
【図３】
2012241357.tif 000005
【図４】
2012241357.tif 000006
【図５】
2012241357.tif 000007
【図６】
2012241357.tif 000008
【図７】
2012241357.tif 000009
【図８】
2012241357.tif 000010
【図９】
2012241357.tif 000011
【図１０】
2012241357.tif 000012
【図１１】
2012241357.tif 000013
【図１２】
2012241357.tif 000014